(57)【要約】【課題】ギター演奏においてピックを使って弦を弾く際に、弦に対してのピックの引っかかる深さを一定の範囲に安定させる。【解決手段】上記の課題を解決するために、横断面の上面が半径0から250ミリまでの範囲の曲面であり、縦断面（弦に沿う方向）の上面が0°から10°までの範囲の傾斜角をもつことを特徴とする本発明のギター用の演奏補助具をギターに取り付ける。【選択図】図1
2006201473.tif 000002
【特許請求の範囲】
【請求項１】
ギター用の演奏補助具において、横断面の上面が半径0から250ミリまでの範囲の曲面であり、縦断面（弦に沿う方向）の上面が0°から10°までの範囲の傾斜角をもつことを特徴とするギター用の演奏補助具。
【発明の詳細な説明】
【技術分野】
【０００１】
本発明はギターを演奏するためにピックで弦をピッキングする（弾く）時に、用いる演奏補助具に関するものである。
【背景技術】
【０００２】
一般にギターの演奏は熟練した者でないと難しいことである。特に難しいのは、ピックで弦を弾くピッキングと言われる操作である。ピッキングの良し悪しは、演奏のリズムや音量を左右する。特に、初心者や上達していない演奏者にとって、ピッキングを安定させることは難しく、意図するリズムと音量を保ちながらスムーズに演奏することは困難なことであった。
【０００３】
これまでに、スムーズに演奏するための補助具はいろいろと発明・考案されてきた。例えば、フレットを押さえるための手や指の動きを補助する発明は、特許文献１が出願されている。弦を弾く手及び指の動きを補助し、安定して弦を弾くための発明は特許文献2及び特許文献3がある。また、ピックに関する出願は特許文献4が出願されているが、これは演奏中にピック弾きから指弾きへ移るときに、使わないピックを演奏の妨げにならないように一時的に退避させるものである。しかしながら、スムーズな演奏に欠くことのできないピッキングそのものを安定させるための補助具はこれまで知られていないし出願もされていない。
【特許文献１】実開昭54-180722
【特許文献２】特開昭59-91492
【特許文献３】特開昭62-163098
【特許文献４】実開平06-073793
【発明の開示】
【発明が解決しようとする課題】
【０００４】
上記のようにギターの演奏の補助具全般を見れば、発明考案がいろいろとなされているが、演奏の上で一番難しい弦を弾くピッキングそのものについての演奏補助具は全く知られていなかった。ギターの初心者や上達していない者にとって、ピッキングを安定させることが難しい原因はいろいろ考えられるが、弦を弾く度に、ピックが弦に接触する部分の面積を一定に保つことができないことが原因の一つである。
【０００５】
演奏時に、弦に接触するピックの面積が大きくなってしまった場合には、弦に対してピックの引っかかりが強くなって、弦の反発力が増す。その結果、リズムが遅れたり、不本意に音を大きくしたりする。最悪の場合には、弦にピックが引っかかったまま音を出せなくなったりする。単音中心の演奏においては、弾く必要のない隣の弦まで鳴らして、不要な雑音を出してしまうこともある。また、弦に対して深くピックを入れすぎて、指が弦に触れて音が途切れてしまうこともある。
【０００６】
また、ピックが弦に接触する面積が小さくなった場合には、弦に対してピックの引っかかりが弱くなり、弦の反発力が減る。その結果、リズムが早まったり、不本意に音を小さくしたりする。単音中心の演奏においては、弦の引っかかりが弱すぎて、隣の弦まで鳴らせてしまうこともある。さらに、極端な場合には、ピックが弦に引っかからずに、音が出ず空ピックになったりする。
【０００７】
上記のように、ピックと弦の関係を制御できないと、演奏者の意図する演奏表現ができなくなってしまう。従ってピックが弦に毎回一定の面積で接触するようにピッキングできれば、弦に対してのピックの引っかかり具合と、弦の反発力が一定になる。弦を弾くときの力の入れ具合も一定になり、力みもなくなる。そのため音量やリズムが一定になり、隣の弦まで鳴らすこともなくなり音が止まったり、鳴らなかったりすることもなくなる。ピッキングという基本的な動作を安定することができるようになれば、演奏者の意のままに自由に演奏表現をすることができるようになる。本発明はこれらの事情を考えて、演奏経験の少ない者でも安定した演奏をするための一助として、ピッキングを安定させることができるギター用の演奏補助具を課題として取りくんできた。
【課題を解決するための手段】
【０００８】
上記の課題を解決するために、本発明のギター用の演奏補助具は、横断面の上面が半径0から250ミリまでの範囲の曲面であり、縦断面（弦に沿う方向）の上面が0°から10°の範囲の傾斜角をもつことを特徴とする。
【０００９】
本発明のギター用の演奏補助具は、ピッキングしようとする位置でギターのボディと弦との隙間に固定して使うものである。  具体的には、ピックの先端が本発明のギター用の演奏補助具の上面に触れる程度の高さに調整して固定することを原則とするが、演奏者の好みに応じて、ピックが弦に接触する面積の大きさを変えるためには、取り付ける位置と高さを調整することで対応できる。
【００１０】
一般に使われているギターの仕様は色々あるので、本発明のギター用の演奏補助具を固定する位置やその傾きはギターによって変えることになるが、0フレットから最終フレットまでの全フレットの中央にあたるフレットの位置を押さえた場合に、ブリッジとの間でなす弦の角度と、本発明のギター用の演奏補助具の縦断面の上面が平行になるように固定することが望ましい。
【発明の効果】
【００１１】
本発明のギター用の演奏補助具を使用する事によって、演奏者が意図する力加減で安定したピッキングが可能になり、力まずスムーズにギターを弾くことができるようになる。このことにより、演奏者の意図するとおりに音量やリズムをコントロールすることができるようになる。特に単音中心で連続した速弾き及び力強く弾くとき等でのピッキングの矯正や、難易度の高い演奏の練習に特に効果がある。ピッキング時に、深くピックを入れすぎて、指が弦に当たって音が不用意に途切れることもない。６本の弦の一本一本の音量が同じように弾けるので、全ての弦を同時に弾くストロークの場合にも音量や音色ばらつかず、安定した演奏が楽しめる。また、ピッキングが安定するとピックに対しての弦の反発力も変動することがなくなり、弾いていて気持ちがいい演奏を楽しむことができる。演奏の練習する時は、兎角ピッキングを目で確認しがちになってしまうが、本発明のギター用の演奏補助具を使うことにより、一々ピッキング状態を見ないで弾いても、弦に対するピックの位置が把握でき安心してピッキングできるようになる。  そして、基本的なピッキングを身につけた後なら、本発明のギター用の演奏補助具を外しても、演奏者の意図するピッキングができるようになる。同じ時間練習するなら、本発明のギター用の演奏補助具を付けた方が短期に演奏能力を高めることができ、そしてさらに高度な演奏表現が出来るようになる。
【発明を実施するための最良の形態】
【００１２】
本発明のギター用の演奏補助具の一例をもとに実施の形態を図面を参照しつつ、以下詳細に説明する。
図1に示す本発明のギター用の演奏補助具の試作品は、厚さ1mmと5mmの硬質塩化ビニールから製作した。 横幅1は約118mmとし、縦方向の長さ2は約61mmにして、図2に示すように上面曲面6は半径350mmの曲面にした。図1において、フレット側の曲面部分3の直線距離は約53mmで、ブリッジ側の曲面部分4の直線距離は約87mmにした。図3に示す底面7はギターのボディ面に両面テープなどで接着固定するために平面にした。図4は図１中の横幅1に対しての中間点であるa−a'の縦断面図である。屋台骨8は厚さ5mmの硬質塩化ビニールから削り出したもので、本発明のギター用の演奏補助具の上面61を維持し支えるためのものである。底面からaまでの高さは約3ミリで、a'までの高さは約５ミリである。
【００１３】
本発明のギター用の演奏補助具は、ピッキングしようとする位置でギターのボディと弦との隙間に固定するものであるが、その部分にはいろいろな形や大きさのピックアップが取り付けられているギターが多く、個々のギターによってそれらが様々な間隔で配置されているので、それらを避けて固定する。
演奏者の好みの位置でピッキングすると演奏が安定するので、最悪の場合にはピックアップの上に取り付けることもある。そのため、なるべくピックアップに被らないように、また、隙間のせまいギターでも取り付けられるように、本発明のギター用の演奏補助具は出来るだけ小型化することが望ましい。しかし演奏する時に、ピッキング位置が多少縦方向にずれてしまうこともあるので、本発明のギター用の演奏補助具の縦方向の長さ2は、ある程度の長さが必要になる。そのため試作品の縦方向の長さ2は約61mmにした。
【００１４】
本発明のギター用の演奏補助具の上面曲面6の曲面は標準的なギターのブリッジの曲面とほぼ同じ程度にすることが望ましい。その理由は次の通りである。弦はブリッジの曲面の上に張られるので、6本の弦5は図2に断面で示すように配置されている。図５に示すように、本発明のギター用の演奏補助具は6本の弦5とギターのボディ面11の隙間に取り付けるが、ピック13が弦に接触する面積9の大きさを演奏者の好みで調整するために、高さを調節して取り付ける。高さを調整するために、図示していない台座などを底面7とボディ面11の間に差し入れた方が良い場合もある。図2に示すように、6本の弦5それぞれから本発明のギター用の演奏補助具の上面曲面6への距離が均等になっていれば、演奏者がピッキングする時にピックが弦に接触する面積を均一におさえられる。
市販されているギターの標準的なブリッジの曲面は半径300mmから半径400mmぐらいまであるが、なかには半径250mmぐらいの曲面をもつものや、まったく平面的なものまである。また、演奏者の好みに合わせてブリッジの曲面を調整出来るものもある。それらの中でも半径350mmの曲面は最も標準的であり、平均値でもある。よって本発明のギター用の演奏補助具の試作品では、上面曲面6を半径350mmの曲面にした。
【００１５】
さらに、21フレットを持つ一般的なギターを例にあげて、本発明のギター用の演奏補助具の取り付ける角度を以下に説明する。
図6は最終フレットを押さえた時のギターを横方向側から見た図である。ブリッジ12から指の向こう側を通って左まで伸びているのが開放弦10である。ギターの最もブリッジよりの最終フレット（第21フレット）を押さえて、そのフレットからブリッジまでの弦と、張ってある開放弦10との角度をαとする。演奏するときはいくつものフレットに渡って弦を押さえるので、押さえたフレットからブリッジまでの弦と開放弦10との角度はフレットよってそれぞれ変わる。全21フレット分の長さのほぼ中央に位置するフレットは、第8フレットなので、第8フレットを押さえた時の、そのフレットからブリッジ12までの弦と開放弦との角度は凡そα/2になる。それに本発明のギター用の演奏補助具の上面61が、平行になるようにを取り付けることが望ましい。
【００１６】
弦の高さはブリッジ12で演奏者の好みの高さにする調整するが、最終フレットがギターによって、２１フレット、２２フレット、２４フレット等があったり、開放弦である０フレットからブリッジまでの弦の長さがギターによって数種類あったりしていろいろ変わってくるが、それらを含めた一般的なギターのαは0.7°から1.7°ぐらいまでの範囲である。さらに、ボディ面11と開放弦10とのなす角度はギターによって異なるが、一般的に０°から4.5°傾いている。それ故本発明のギター用の演奏補助具の上面61の傾斜角度は、1/2αの0.35°〜0.85°とボディ面11と開放弦10とのなす角度の0°から4.5°を加算すると0.35°〜5.35°になり、それらの平均値は2.85°とすることが考えられる。しかし、ボディ面11と開放弦10とのなす角度が、あまり傾いていない方がより一般的なので、汎用性を考慮して、本発明のギター用の演奏補助具の試作品は演奏補助具の上面61の傾斜角度を2.2°した。
上記に試作品の具体的な材料と寸法を記述したが、本発明のギター用の演奏補助具はこれらにこだわるものではなく、デザイン・色彩・材料は幅広く選択することが出来る。
【００１７】
試作した本発明のギター用の演奏補助具を取り付けて８人（ギター歴25年の上級者。ギター歴23年の上級者。ギター歴22年の初中級者。ギター歴21年の初級者。ギター歴11年の上級者。ギター歴5年の中上級者。ギター歴6年の初級者。ギター経験のあまりない初心者）に試奏してもらい感想を述べてもらった。弾き易くなると答えた演奏者は5人であった。単音中心の速弾きに効果があると答えた演奏者は６人であった。ピッキングの練習に効果があると答えた演奏者は６人であった。また、ギター経験のあまりない初心者は、一々ピッキング状態を見ないで弾いても、弦に対してのピックの位置が把握でき安心してピッキングできるようになると答えた。
上記のように、本発明のギター用の演奏補助具の試作品を取り付け演奏した場合に、何らかの良い効果があると答えたのは８人全員であった。
【図面の簡単な説明】
【００１８】
【図１】本発明のギター用の演奏補助具の正面図
【図２】本発明のギター用の演奏補助具をブリッジ方向側から見た側面図
【図３】本発明のギター用の演奏補助具の底面図
【図４】図１中の横幅1に対しての中間点であるa−a'の縦断面図
【図５】使用状況を示す拡大図
【図６】最終フレットを押さえた時のギターを横方向側から見た図
【符号の説明】
【００１９】
1横幅
2縦方向の長さ
3フレット側の曲面部分
4ブリッジ側の曲面部分
5弦
6上面曲面
61上面
7底面
8屋台骨
9弦に接触する面積
10開放弦
11ボディ面
12ブリッジ
13ピック
【図１】
2006201473.tif 000003
【図２】
2006201473.tif 000004
【図３】
2006201473.tif 000005
【図４】
2006201473.tif 000006
【図５】
2006201473.tif 000007
【図６】
2006201473.tif 000008